(57)【要約】【課題】    印刷ヘッドのクリーニング等によって失われるインクに対応した利益をユーザに還元すること。【解決手段】  商品の売り上げ処理をする情報処理装置１２０において、商品の購入金額を計算する計算手段（ＣＰＵ１２１）と、顧客が有する印刷装置で使用されたインクのうち、印刷ヘッドの性能を維持するために使用されたインクに関する情報を取得する取得手段（リーダライタ１２０ａ）と、計算手段によって計算された商品の購入金額から、印刷ヘッドの性能を維持するために使用されたインクに対応する金額だけ割引を行う割引手段（ＣＰＵ１２１）と、を有している。【選択図】        図１１
2005059313.tif 000002
【特許請求の範囲】
【請求項１】
商品の売り上げ処理をする情報処理装置において、
商品の購入金額を計算する計算手段と、
顧客が有する印刷装置で使用されたインクのうち、印刷ヘッドの性能を維持するために
使用されたインクに関する情報を取得する取得手段と、
上記計算手段によって計算された商品の購入金額から、上記印刷ヘッドの性能を維持す
るために使用されたインクに対応する金額だけ割引を行う割引手段と、
を有することを特徴とする情報処理装置。
【請求項２】
前記取得手段は、前記印刷装置が具備する廃液カートリッジが有している記憶ユニット
に記憶されている情報を読み取ることにより、前記印刷ヘッドの性能を維持するために使
用されたインクに関する情報を取得することを特徴とする請求項１記載の印刷装置。
【請求項３】
前記取得手段は、前記印刷装置が具備するインクカートリッジが有している記憶ユニッ
トに記憶されている情報を読み取ることにより、前記印刷ヘッドの性能を維持するために
使用されたインクに関する情報を取得することを特徴とする請求項１記載の印刷装置。
【請求項４】
前記取得手段は、前記印刷用紙に印刷されたバーコードを読み取ることにより、前記印
刷ヘッドの性能を維持するために使用されたインクに関する情報を取得することを特徴と
する請求項１記載の情報処理装置。
【請求項５】
前記割引手段によって算出された割引額を、次回以降の商品の購入時に使用するために
、前記顧客が有する記憶カードに情報として記憶させる記憶手段をさらに有することを特
徴とする請求項１記載の情報処理装置。
【請求項６】
ネットワークを介して商品の売買を行うための通信手段をさらに有し、
前記計算手段は、上記通信手段によって購入された商品の金額を計算することを特徴と
する請求項１記載の情報処理装置。
【請求項７】
前記取得手段は、前記印刷ヘッドの性能を維持するために使用されたインクに関する情
報を使用した後は、当該情報を初期化または削除することを特徴とする請求項１記載の情
報処理装置。
【請求項８】
前記割引手段は、前記印刷装置の製造者が製造する他の製品のみを割引の対象とするこ
とを特徴とする請求項１記載の情報処理装置。
【請求項９】
商品の売り上げ処理をする情報処理装置の情報処理方法において、
商品の購入金額を計算する計算ステップと、
顧客が有する印刷装置で使用されたインクのうち、印刷ヘッドの性能を維持するために
使用されたインクに関する情報を取得する取得ステップと、
上記計算ステップによって計算された商品の購入金額から、上記印刷ヘッドの性能を維
持するために使用されたインクに対応する金額だけ割引を行う割引ステップと、
を有することを特徴とする情報処理方法。
【請求項１０】
商品の売り上げ処理をコンピュータに機能させるコンピュータ読み取り可能な情報処理
用プログラムにおいて、
コンピュータを、
商品の購入金額を計算する計算手段、
顧客が有する印刷装置で使用されたインクのうち、印刷ヘッドの性能を維持するために
使用されたインクに関する情報を取得する取得手段、
上記計算手段によって計算された商品の購入金額から、上記印刷ヘッドの性能を維持す
るために使用されたインクに対応する金額だけ割引を行う割引手段、
として機能させることを特徴とするコンピュータ読み取り可能な情報処理用プログラム
。
【請求項１１】
印刷ヘッドを有する印刷装置において、
使用されたインクのうち、上記印刷ヘッドの性能を維持するために使用されたインクに
関する情報を取得する取得手段と、
上記取得手段によって取得された情報を、インクカートリッジもしくは廃液カートリッ
ジが有する記憶ユニット、または印刷用紙に記録する記録手段と、
を有することを特徴とすることを特徴とする印刷装置。
【請求項１２】
前記インクカートリッジもしくは前記廃液カートリッジが有する記憶ユニット、または
前記印刷用紙に記録された情報には、商品の割引に関する情報が含まれていることを特徴
とする請求項１１記載の印刷装置。
【請求項１３】
前記インクカートリッジもしくは前記廃液カートリッジが有する記憶ユニット、または
前記印刷用紙に記録された情報には、前記印刷装置の製造者を特定するための情報が含ま
れており、上記製造者が製造する他の商品のみを割引の対象とすることを特徴とする請求
項１２記載の印刷装置。
【請求項１４】
印刷ヘッドを有する印刷装置の印刷方法において、
使用されたインクのうち、上記印刷ヘッドの性能を維持するために使用されたインクに
関する情報を取得する取得ステップと、
上記取得ステップによって取得された情報を、インクカートリッジもしくは廃液カート
リッジが有する記憶ユニット、または印刷用紙に記録する記録ステップと、
を有することを特徴とする印刷方法。
【請求項１５】
廃液カートリッジを有する印刷装置において実行されるコンピュータ読み取り可能な印
刷用プログラムにおいて、
コンピュータを、
使用されたインクのうち、印刷ヘッドの性能を維持するために使用されたインクに関す
る情報を取得する取得手段、
上記取得手段によって取得された情報を、インクカートリッジもしくは廃液カートリッ
ジが有する記憶ユニット、または印刷用紙に記録する記録手段、
として機能させることを特徴とするコンピュータ読み取り可能な印刷用プログラム。
【発明の詳細な説明】
【技術分野】
【０００１】
本発明は、情報処理装置、情報処理方法、情報処理用プログラム、印刷装置、印刷方法
、および、印刷用プログラムに関する。
【背景技術】
【０００２】
インクジェットプリンタでは、印刷ヘッドから吐出されたインク滴が、印刷用紙に付着
してドットを形成し、所望の画像を印刷する。
【０００３】
ところで、印刷ヘッドには複数の微細なノズルが形成されており、そこからインク滴が
吐出される構造となっている。したがって、長時間印刷しないで放置した場合等には、増
粘したインクがノズルを塞いでしまい、印刷性能が低下する場合がある。
【０００４】
そこで、従来の印刷装置では、一定時間が経過すると、印刷ヘッドに印刷時よりも高い
駆動電圧を印加して、増粘したインクを吐出させる、いわゆる「フラッシング」や、印刷
ヘッドにキャップを冠しておき、キャップ内の空気をポンプで吸引して負圧を生じること
により増粘したインクを除去する「クリーニング」が行われている（特許文献１参照）。
【０００５】
【特許文献１】特開２００２−１６６５４０号公報（要約書）
【発明の開示】
【発明が解決しようとする課題】
【０００６】
ところで、フラッシングやクリーニングを行った場合には、所定量のインクが消費され
てしまう。印刷装置の性能を維持するためには、フラッシングやクリーニングは必要不可
欠であるが、これらの動作によって消費されるインクは、ユーザにとっては、画像を印刷
する目的以外に使用されるもので、いわば、無駄となるものである。
【０００７】
本発明は、上記の事情に基づきなされたもので、その目的とするところは、印刷ヘッド
のクリーニング等によって失われるインクに対応した利益をユーザに還元することが可能
な、情報処理装置、情報処理方法、情報処理用プログラム、印刷装置、印刷方法、および
、印刷用プログラムを提供しよう、とするものである。
【課題を解決するための手段】
【０００８】
上述の目的を達成するため、本発明は、商品の売り上げ処理をする情報処理装置におい
て、商品の購入金額を計算する計算手段と、顧客が有する印刷装置で使用されたインクの
うち、印刷ヘッドの性能を維持するために使用されたインクに関する情報を取得する取得
手段と、計算手段によって計算された商品の購入金額から、印刷ヘッドの性能を維持する
ために使用されたインクに対応する金額だけ割引を行う割引手段と、を有することを特徴
とする情報処理装置。
【０００９】
このため、印刷ヘッドのクリーニング等によって失われるインクに対応した利益をユー
ザに還元することが可能となる。
【００１０】
また、他の発明は、上述の発明に加えて、取得手段は、印刷装置が具備する廃液カート
リッジが有している記憶ユニットに記憶されている情報を読み取ることにより、印刷ヘッ
ドの性能を維持するために使用されたインクに関する情報を取得するようにしている。こ
のため、ユーザは、廃液カートリッジを店舗に持参することにより、商品の割引の適用を
受けることができるとともに、メーカは、廃液カートリッジの回収を図ることが可能にな
る。
【００１１】
また、他の発明は、上述の発明に加えて、取得手段は、印刷装置が具備するインクカー
トリッジが有している記憶ユニットに記憶されている情報を読み取ることにより、印刷ヘ
ッドの性能を維持するために使用されたインクに関する情報を取得するようにしている。
このため、ユーザは、インクカートリッジを店舗に持参することにより、商品の割引の適
用を受けることができるとともに、メーカは、インクカートリッジの回収を図ることが可
能になる。
【００１２】
また、他の発明は、上述の発明に加えて、取得手段は、印刷用紙に印刷されたバーコー
ドを読み取ることにより、印刷ヘッドの性能を維持するために使用されたインクに関する
情報を取得するようにしている。このため、ユーザは、バーコードが印刷された印刷用紙
を店舗に持参することにより、商品の割引の適用を受けることができるとともに、店舗は
記憶ユニットから情報を読み出す読み出し装置を別途準備する必要がなくなる。
【００１３】
また、他の発明は、上述の発明に加えて、割引手段によって算出された割引額を、次回
以降の商品の購入時に使用するために、顧客が有する記憶カードに情報として記憶させる
記憶手段をさらに有するようにしている。このため、ユーザは、時間的制約等を受けるこ
となく、割引の適用を自由に受けることが可能になる。
【００１４】
また、他の発明は、上述の発明に加えて、ネットワークを介して商品の売買を行うため
の通信手段をさらに有し、計算手段は、通信手段によって購入された商品の金額を計算す
るようにしている。このため、店舗に出向かなくても、商品の割引の適用を受けることが
可能になる。
【００１５】
また、他の発明は、上述の発明に加えて、取得手段は、印刷ヘッドの性能を維持するた
めに使用されたインクに関する情報を使用した後は、当該情報を初期化または削除するよ
うにしている。このため、割引の適用を複数回受けるといった不正行為を防止することが
可能になる。
【００１６】
また、他の発明は、上述の発明に加えて、割引手段は、印刷装置の製造者が製造する他
の製品のみを割引の対象とするようにしている。このため、競合他社の代替品が存在する
場合であっても、自社の製品を優先して売ることが可能になる。
【００１７】
また、本発明は、商品の売り上げ処理をする情報処理装置の情報処理方法において、商
品の購入金額を計算する計算ステップと、顧客が有する印刷装置で使用されたインクのう
ち、印刷ヘッドの性能を維持するために使用されたインクに関する情報を取得する取得ス
テップと、計算ステップによって計算された商品の購入金額から、印刷ヘッドの性能を維
持するために使用されたインクに対応する金額だけ割引を行う割引ステップと、を有する
ようにしている。
【００１８】
このため、当該印刷方法によれば、印刷ヘッドのクリーニング等によって失われるイン
クに対応した利益をユーザに還元することが可能となる。
【００１９】
また、本発明は、商品の売り上げ処理をコンピュータに機能させるコンピュータ読み取
り可能な情報処理用プログラムにおいて、コンピュータを、商品の購入金額を計算する計
算手段、顧客が有する印刷装置で使用されたインクのうち、印刷ヘッドの性能を維持する
ために使用されたインクに関する情報を取得する取得手段、計算手段によって計算された
商品の購入金額から、印刷ヘッドの性能を維持するために使用されたインクに対応する金
額だけ割引を行う割引手段、として機能させるようにしている。
【００２０】
このため、当該情報処理用プログラムをコンピュータにインストールすれば、印刷ヘッ
ドのクリーニング等によって失われるインクに対応した利益をユーザに還元することが可
能となる。
【００２１】
また、本発明は、印刷ヘッドを有する印刷装置において、使用されたインクのうち、印
刷ヘッドの性能を維持するために使用されたインクに関する情報を取得する取得手段と、
取得手段によって取得された情報を、インクカートリッジもしくは廃液カートリッジが有
する記憶ユニット、または印刷用紙に記録する記録手段と、を有するようにしている。
【００２２】
このため、印刷ヘッドのクリーニング等によって失われるインクに対応した利益をユー
ザに還元することが可能となる。
【００２３】
また、他の発明は、上述の発明に加えて、インクカートリッジもしくは廃液カートリッ
ジが有する記憶ユニット、または印刷用紙に記録された情報には、商品の割引に関する情
報が含まれているようにしている。このため、インクカートリッジ、廃液カートリッジ、
または印刷用紙を店舗に持参することにより、商品の割引の適用を受けることが可能にな
る。
【００２４】
また、他の発明は、上述の発明に加えて、インクカートリッジもしくは廃液カートリッ
ジが有する記憶ユニット、または印刷用紙に記録された情報には、印刷装置の製造者を特
定するための情報が含まれており、製造者が製造する他の商品のみを割引の対象とするよ
うにしている。このため、競合他社の代替品が存在する場合であっても自社の製品の売り
上げを促進することが可能になる。
【００２５】
また、本発明は、印刷ヘッドを有する印刷装置の印刷方法において、使用されたインク
のうち、印刷ヘッドの性能を維持するために使用されたインクに関する情報を取得する取
得ステップと、取得ステップによって取得された情報を、インクカートリッジもしくは廃
液カートリッジが有する記憶ユニット、または印刷用紙に記録する記録ステップと、を有
するようにしている。
【００２６】
このため、当該方法によれば、印刷ヘッドのクリーニング等によって失われるインクに
対応した利益をユーザに還元することが可能となる。
【００２７】
また、本発明は、廃液カートリッジを有する印刷装置において実行されるコンピュータ
読み取り可能な印刷用プログラムにおいて、コンピュータを、使用されたインクのうち、
印刷ヘッドの性能を維持するために使用されたインクに関する情報を取得する取得手段、
取得手段によって取得された情報を、インクカートリッジもしくは廃液カートリッジが有
する記憶ユニット、または印刷用紙に記録する記録手段、として機能させるようにしてい
る。
【００２８】
このため、当該印刷用プログラムをコンピュータにインストールすれば、印刷ヘッドの
クリーニング等によって失われるインクに対応した利益をユーザに還元することが可能と
なる。
【発明の効果】
【００２９】
本発明によれば、印刷ヘッドのクリーニング等によって失われるインクに対応した利益
をユーザに還元することが可能となる。また、その結果、廃液インクを貯納するカートリ
ッジ等のリサイクルを促進することができる。
【発明を実施するための最良の形態】
【００３０】
以下、本発明の一実施の形態について、図面を参照して説明する。
【００３１】
図１は、本発明の実施の形態の情報処理装置と印刷装置の構成例を示す図である。この
図において、コンピュータ９０は、ユーザ側に配置されており、プリンタ２２を制御する
とともに、後述するバーコードを印刷する機能を有している。なお、以下では、プリンタ
２２とコンピュータ９０の組み合わせを「印刷装置」と呼ぶことにする。
【００３２】
プリンタ２２は、後述するように、インクジェット式のプリンタであり、内部の印刷ヘ
ッドをクリーニング等する機能を有している。
【００３３】
情報処理装置１２０は、店舗側に配置されており、当該店舗における売り上げ処理を実
行するとともに、リーダライタ１２０ａにより、後述するようにユーザが持参した廃液カ
ートリッジに具備されている記憶ユニットに記録されている情報に応じて商品の購入価格
の割引処理を実行する。
【００３４】
つぎに、印刷装置の概要について、図１および図２を参照しつつ説明する。図２は、印
刷装置を構成するプリンタ２２の概略構成図であり、図３は、制御回路４０を中心とした
プリンタ２２の主要部の構成例を示すブロック図である。
【００３５】
図２に示すように、プリンタ２２は、紙送りモータ２３によって印刷用紙Ｐを搬送する
副走査送り機構と、キャリッジモータ２４によってキャリッジ３１を紙送りローラ２６の
軸方向に往復動させる主走査送り機構とを有している。ここで、副走査送り機構による印
刷用紙Ｐの送り方向を副走査方向といい、主走査送り機構によるキャリッジ３１の移動方
向を主走査方向という。
【００３６】
また、プリンタ２２は、キャリッジ３１に搭載され、記録手段の一部である印刷ヘッド
１２を備えた印刷ヘッドユニット６０と、この印刷ヘッドユニット６０を駆動してインク
の吐出およびドット形成を制御するヘッド駆動機構と、これらの紙送りモータ２３、キャ
リッジモータ２４、印刷ヘッドユニット６０および操作パネル３２との信号のやり取りを
司る制御回路４０とを備えている。
【００３７】
キャリッジ３１には、図２に示すように、着脱可能な構成要素である、ブラック（Ｋ）
のインクを収納したインクカートリッジ７１、シアン（Ｃ）のインクを収納したインクカ
ートリッジ７２、マゼンタ（Ｍ）のインクを収納したインクカートリッジ７３、イエロー
（Ｙ）のインクを収納したインクカートリッジ７４の４つのインクカートリッジ７１〜７
４が着脱可能に搭載される。
【００３８】
キャリッジ３１の下部には印刷ヘッド１２が設けられている。印刷ヘッド１２には、イ
ンク吐出箇所としてのノズルが印刷用紙Ｐの搬送方向に列状に配置され、それぞれの色の
インクに対応したノズル列を形成している。
【００３９】
また、キャリッジ３１の下部に設けられ、各インクに対応づけられたノズル列には、ノ
ズル毎に、電歪素子の１つであって応答性に優れたピエゾ素子が配置されている。ピエゾ
素子は、ノズルまでインクを導くインク通路を形成する部材に接する位置に設置されてい
る。ピエゾ素子は、電圧の印加により結晶構造が歪み、極めて高速に電気−機械エネルギ
の変換を行う。
【００４０】
本実施の形態では、ピエゾ素子の両端に設けられた電極間に所定時間幅の電圧を印加す
ることにより、ピエゾ素子が電圧の印加時間だけ伸張し、インク通路の一側壁を変形させ
る。この結果、インク通路の体積はピエゾ素子の伸張に応じて収縮し、この収縮分に相当
するインクが、インク滴となって、ノズルの先端から高速に吐出される。このインク滴が
紙送りローラ２６に沿わされた印刷用紙Ｐに染み込むことにより、ドットが形成されて印
刷が行われる。インク滴の大きさは、ピエゾ素子への電圧の印加方法によって変更するこ
とができる。これにより、例えば、大、中、小の３種類の異なる大きさのドットを形成す
ることができる。
【００４１】
制御回路４０は、コネクタ５６を介してコンピュータ９０に接続されている。コンピュ
ータ９０は、後述するようにプリンタ２２用のドライバプログラムを搭載し、入力装置で
あるキーボードや、マウス等の操作によるユーザの指令を受け付け、また、プリンタ２２
における種々の情報を表示装置の画面表示によりに提示するユーザインターフェイスを構
成している。
【００４２】
印刷用紙Ｐを搬送する副走査送り機構は、紙送りモータ２３の回転を紙送りローラ２６
と用紙搬送ローラ（図示せず）とに伝達するギヤトレイン（図示せず）を備える。
【００４３】
また、キャリッジ３１を往復動させる主走査送り機構は、紙送りローラ２６の軸と並行
に架設されキャリッジ３１を摺動可能に保持するガイド部材３４と、キャリッジモータ２
４との間に無端のタイミングベルト３６を張設するプーリ３８と、キャリッジ３１の原点
位置を検出するとともに、後述する印刷補正用パターンを検出するための光学センサ３９
とを備えている。なお、光学センサ３９は、光を印刷用紙Ｐに対して投射する光源と、印
刷用紙Ｐからの反射光を対応する画像信号に変換するラインセンサ（または、ＣＣＤ素子
）とによって構成されている。
【００４４】
図３に示すように、制御回路４０は、取得手段であるＣＰＵ（Central Processing Uni
t）４１、プログラマブルＲＯＭ（Ｐ−ＲＯＭ（Read Only Memory））４３、ＲＡＭ（Ran
dom Access Memory）４４、文字のドットマトリクスを記憶したキャラクタジェネレータ
（ＣＧ（Character Generator））４５、ＥＥＰＲＯＭ（Electronically Erasable and P
rogrammable ROM）４６、および記録手段の一部である送受信部４７を備えた算術論理演
算回路として構成されている。送受信部４７は、後述するように、インクカートリッジお
よび廃液カートリッジに設けられている記憶ユニットとの間で情報を無線通信により授受
することができる。
【００４５】
この制御回路４０は、さらに、外部のモータ等とのインタフェース（Ｉ／Ｆ（Interfac
e））であるＩ／Ｆ専用回路５０と、このＩ／Ｆ専用回路５０に接続され印刷ヘッドユニ
ット６０を駆動してインクを吐出させるヘッド駆動回路５２と、紙送りモータ２３、キャ
リッジモータ２４および吸引モータ２５を駆動するモータ駆動回路５４とを備えている。
【００４６】
Ｉ／Ｆ専用回路５０は、パラレルインタフェース回路を内蔵しており、コネクタ５６を
介してコンピュータ９０から供給される印刷データＰＳを受け取ることができる。
【００４７】
つぎに、キャリッジ３１の周辺部について説明する。図４は、キャリッジ３１の周辺部
分の詳細な構成例を示す図である。この図において、キャリッジ３１には、インクカート
リッジ７１〜７４が装着されている。
【００４８】
キャリッジ３１は、キャリッジモータ２４によって駆動されるタイミングベルト３６を
介し、ガイド部材３４に案内されて印刷用紙Ｐの短手方向に沿って往復駆動されるように
構成されている。
【００４９】
キャリッジ３１の印刷用紙Ｐと対向する面には、印刷ヘッド１２（図４では省略）が搭
載されている。プリンタ２２の非印字領域（図中、右側）には、キャリッジ３１が当該箇
所に移動した時にキャリッジ３１に向かって上昇して印刷ヘッド１２のノズル形成面を封
止することができるキャッピング機構１１２が配置されている。このキャッピング機構１
１２は、フラッシング動作時において、一定の間隙をもって印刷ヘッド１２に対向し、フ
ラッシング動作に伴うインク滴を受け、またプリンタ２２の休止期間中には印刷ヘッド１
２のノズル形成面を封止する蓋体として機能する。さらにクリーニング操作時には、後述
する吸引モータから負圧を受けて印刷ヘッド１２からインクを強制的に排出させることが
できるように構成されている。
【００５０】
また、キャッピング機構１１２に隣接する印刷領域側には、ゴムなどの弾性素材を短冊
状に成形したワイピング部材１１１が配置されており、キャリッジ３１がキャッピング機
構１１２側に往復移動する際に、印刷ヘッド１２の移動経路に進出して、必要に応じて印
刷ヘッド１２のノズル形成面を払拭するワイピング動作がなされるように構成されている
。
【００５１】
プラテン１１０は、紙送りローラ２６および図示せぬ排紙ローラの間に配置された架橋
体であり、印刷用紙Ｐが印刷ヘッド１２に対して平行になるように保持する。
【００５２】
図５は、吸引モータ２５およびその周辺部分の詳細な構成例を示す図である。この図に
示すように、吸引モータ２５には、空気を吸い込む側である吸引側チューブ１１３と、空
気を排出する側である排出側チューブ１１４が具備されている。吸引側チューブ１１３は
、キャッピング機構１１２の底部に接続されており、キャッピング機構１１２の内部の空
気を吸引して負圧を発生する。排出側チューブ１１４は、廃液カートリッジ１１５に接続
されており、印刷ヘッド１２から吸い出されたインクをそこに貯留する。なお、廃液カー
トリッジ１１５を構成する筐体１１５ａの内部には、吸水性素材１１５ｂが配置されてお
り、吸引モータ２５から排出されたインクを吸収する。
【００５３】
図６は、廃液カートリッジ１１５の詳細な構成例を示す断面図である。この図に示すよ
うに、廃液カートリッジ１１５は、筐体１１５ａ、吸水性素材１１５ｂ、および記憶ユニ
ット１１５ｃによって構成されている。筐体１１５ａの上部には、排出側チューブ１１４
が着脱可能に嵌入されている。吸水性素材１１５ｂは、インクを吸収してゲル化すること
により、インクが逆流したり、漏れたりすることを防止する。記憶ユニット１１５ｃには
、後述するように、インクのクリーニング等に関する情報が記憶される。
【００５４】
図７は、廃液カートリッジ１１５の天面に設けられた記憶ユニット１１５ｃの構成例を
示す平面透視図である。この図７に示すように、記憶ユニット１１５ｃは、皮膜１３０、
アンテナ１３１、コンデンサ１３２、およびＩＣ（Integrated Circuit）チップ１３３を
有している。
【００５５】
ここで、皮膜１３０は、アンテナ１３１、コンデンサ１３２、およびＩＣチップ１３３
を被覆して、外部から物理的な力が加わった場合に、これらの電子部品が破損することを
防止するための部材である。なお、皮膜１３０は、電磁波の減衰を防止するために、例え
ば、樹脂によって構成されている。
【００５６】
アンテナ１３１は、平面状のコイルによって構成されており、送受信部４７との間で電
磁波を媒介として情報を授受する。コンデンサ１３２は、金属皮膜をエッチングして形成
されたコンデンサであり、アンテナ１３１が有するインダクタンス成分とにより共振回路
を形成する。
【００５７】
ＩＣチップ１３３は、アンテナ１３１によって捕捉された電磁波を整流して電源電力を
得るとともに、アンテナ１３１を介して、送受信部４７との間で情報を授受する。
【００５８】
図８は、送受信部４７および記憶ユニット１１５ｃの詳細な構成例を示す図である。こ
の図に示すように、送受信部４７は、ＲＦ（Radio Frequency）回路４７ａおよびアンテ
ナ４７ｂによって構成されている。
【００５９】
ここで、読み取り手段の一部であるＲＦ回路４７ａは、送信しようとする情報に応じて
搬送波を変調するとともに、受信した搬送波に重畳されている情報を抽出（復調）する。
読み取り手段の一部であるアンテナ４７ｂは、図７に示すものと同様な平面状のコイルに
よって構成されており、廃液カートリッジ１１５に具備された記憶ユニット１１５ｃの近
傍に設けられている。このアンテナ４７ｂは、記憶ユニット１１５ｃとの間で電磁波を媒
介として情報を送受信する。
【００６０】
記憶ユニット１１５ｃを構成するＩＣチップ１３３は、整流回路１３３ａ、ＲＦ回路１
３３ｂ、制御回路１３３ｃ、およびメモリ１３３ｄによって構成されている。
【００６１】
ここで、整流回路１３３ａは、例えば、ダイオードがブリッジ状に接続されて構成され
ており、電磁波によってアンテナ１３１に励起された交流を整流して直流電源を生成する
。
【００６２】
ＲＦ回路１３３ｂは、送信しようとする情報に応じて搬送波を変調するとともに、受信
した搬送波に重畳されている情報を抽出（復調）する。
【００６３】
制御回路１３３ｃは、整流回路１３３ａから電源の供給を受け、メモリ１３３ｄから所
定の情報を読み出してＲＦ回路１３３ｂに供給するとともに、ＲＦ回路１３３ｂから供給
された情報をメモリ１３３ｄに書き込む。
【００６４】
メモリ１３３ｄは、ＮＡＮＤ型フラッシュＲＯＭ等の電気的に読み書き可能な不揮発性
メモリであり、制御回路１３３ｃから供給された情報を記憶するとともに、記憶している
情報を読み出して制御回路１３３ｃに供給する。
【００６５】
図９は、メモリ１３３ｄに記憶されている情報の一例を示す図である。この図に示すよ
うに、メモリ１３３ｄには、シリアル番号１５１、製造メーカ名１５２、フラッシング回
数１５３、クリーニング回数１５４、印刷インク使用量１５５、全インク使用量１５６、
および割引ポイント１５７の各データが格納されている。
【００６６】
ここで、シリアル番号１５１は、廃液カートリッジ１１５に固有の番号であり、この番
号を参照することにより、廃液カートリッジ１１５の種類を識別することが可能になる。
製造メーカ名１５２は、廃液カートリッジ１１５の製造メーカを特定するための情報であ
る。
【００６７】
フラッシング回数１５３は、廃液カートリッジ１１５が新たに装着されてから実行され
たフラッシングの回数を示す情報である。クリーニング回数１５４は、廃液カートリッジ
１１５が新たに装着されてから実行されたクリーニングの回数を示す情報である。なお、
本明細書では、「フラッシング」および「クリーニング」において失われるインクを「印
刷ヘッド１２の性能を維持するために必要なインク」として扱う。
【００６８】
印刷インク使用量１５５は、印刷によって失われたインクの量を示す情報である。全イ
ンク使用量１５６は、廃液カートリッジ１１５が新たに装着されてから印刷よって使用さ
れたインクの量、フラッシングに使用されたインクの量、およびクリーニングに使用され
たインクの総量を示す情報である。割引ポイント１５７は、廃液カートリッジ１１５を店
舗に持参した場合に得られる商品の割引ポイントを示す情報である。
【００６９】
つぎに、コンピュータ９０の構成について、図を参照しつつ説明する。
【００７０】
図１０に示すように、コンピュータ９０は、ＣＰＵ９１、ＲＯＭ９２、ＲＡＭ９３、Ｈ
ＤＤ（Hard Disk Drive）９４、ビデオ回路９５、Ｉ／Ｆ９６、バス９７、表示装置９８
、入力装置９９および外部記憶装置１００によって構成されている。
【００７１】
ここで、ＣＰＵ９１は、ＲＯＭ９２やＨＤＤ９４に格納されているプログラムに従って
各種演算処理を実行するとともに、装置の各部を制御する制御部である。
【００７２】
ＲＯＭ９２は、ＣＰＵ９１が実行する基本的なプログラムやデータを格納しているメモ
リである。ＲＡＭ９３は、ＣＰＵ９１が実行途中のプログラムや、演算途中のデータ等を
一時的に格納するメモリである。
【００７３】
ＨＤＤ９４は、ＣＰＵ９１からの要求に応じて、記録媒体であるハードディスクに記録
されているデータやプログラムを読み出すとともに、ＣＰＵ９１の演算処理の結果として
発生したデータを前述したハードディスクに記録する記録装置である。
【００７４】
ビデオ回路９５は、ＣＰＵ９１から供給された描画命令に応じて描画処理を実行し、得
られた画像データを映像信号に変換して表示装置９８に出力する回路である。
【００７５】
Ｉ／Ｆ９６は、入力装置９９および外部記憶装置１００から出力された信号の表現形式
を適宜変換するとともに、プリンタ２２に対して印刷データＰＳを出力する回路である。
【００７６】
バス９７は、ＣＰＵ９１、ＲＯＭ９２、ＲＡＭ９３、ＨＤＤ９４、ビデオ回路９５およ
びＩ／Ｆ９６を相互に接続し、これらの間でデータの授受を可能とする信号線である。
【００７７】
表示装置９８は、例えば、ＬＣＤ（Liquid Crystal Display）モニタやＣＲＴ（Cathod
e Ray Tube）モニタによって構成され、ビデオ回路９５から出力された映像信号に応じた
画像を表示する装置である。
【００７８】
入力装置９９は、例えば、キーボードやマウスによって構成されており、ユーザの操作
に応じた信号を生成して、Ｉ／Ｆ９６に供給する装置である。
【００７９】
外部記憶装置１００は、例えば、ＣＤ−ＲＯＭ（Compact Disk-ROM）ドライブユニット
、ＭＯ（Magneto Optic）ドライブユニット、ＦＤＤ（Flexible Disk Drive）ユニットに
よって構成され、ＣＤ−ＲＯＭディスク、ＭＯディスク、ＦＤに記録されているデータや
プログラムを読み出してＣＰＵ９１に供給する装置である。また、ＭＯドライブユニット
およびＦＤＤユニットの場合には、ＣＰＵ９１から供給されたデータを、ＭＯディスクま
たはＦＤに記録する装置である。
【００８０】
つぎに、情報処理装置１２０の構成について、図を参照しつつ説明する。
【００８１】
図１１に示すように、情報処理装置１２０は、計算手段であり、かつ、割引手段である
ＣＰＵ１２１、ＲＯＭ１２２、ＲＡＭ１２３、ＨＤＤ１２４、ビデオ回路１２５、Ｉ／Ｆ
１２６、バス１２７、表示装置１２８、取得手段であるリーダライタ１２０ａおよびプリ
ンタ１２０ｂによって構成されている。なお、基本的な構成は、図１０に示すコンピュー
タ９０の場合とほぼ同様であるので、異なる部分のみについて説明する。
【００８２】
図１１に示す情報処理装置１２０では、外部装置としてリーダライタ１２０ａとプリン
タ１２０ｂを有している。その他の構成は、図１０に示すコンピュータ９０と同様である
。
【００８３】
ここで、リーダライタ１２０ａは、廃液カートリッジ１１５に具備されている記憶ユニ
ット１１５ｃに記憶されている情報を読み出すとともに、所定の情報を書き込む。
【００８４】
プリンタ１２０ｂは、ユーザが購入した商品の合計金額および支払い金額等に関する情
報をレシートに印刷して出力する。
【００８５】
つぎに、以上の実施の形態の動作について説明する。
【００８６】
図１２は、図１に示すプリンタ２２に電源が投入された場合または印刷データＰＳがコ
ンピュータ９０から供給された場合に実行される処理の一例を説明するためのフローチャ
ートである。このフローチャートが開始されると、以下のステップが実行される。
【００８７】
ステップＳ１０：電源が投入されるか、または、印刷データＰＳがコンピュータ９０か
ら供給されると、ＣＰＵ４１はバス５７を介してＥＥＰＲＯＭ４６に格納されている、前
回クリーニングがなされた日時を示す情報（以下、「日時情報」と称する）を取得すると
ともに、コネクタ５６を介してコンピュータ９０からその時点における日時情報を取得し
、これらの差分を算出することにより、前回クリーニングからの累積時間を算出する。
【００８８】
ステップＳ１１：ＣＰＵ４１は、ＥＥＰＲＯＭ４６に格納されている前回クリーニング
からの累積印刷時間を取得する。ここで、前回クリーニングからの累積印刷時間は、印刷
処理を開始する際と終了する際に日時情報をコンピュータ９０から取得してこれらの差分
を計算し、得られた印刷時間をそれまでの印刷時間に累積加算することにより生成される
。なお、前回クリーニングからの累積印刷時間は、吸引によるクリーニングまたはフラッ
シングが実行された場合には“０”にリセットされる。
【００８９】
ステップＳ１２：ＣＰＵ４１は、Ｐ−ＲＯＭ４３に格納されている図１３に示すような
テーブルと、ステップＳ１０およびステップＳ１１において求めた前回クリーニングから
の累積印刷時間と、前回クリーニングからの累積時間を対比することにより、図１３にハ
ッチングが施された領域（クリーニング領域）に該当するか否かを判定し、クリーニング
領域に該当する場合にはステップＳ１３に進み、それ以外の場合にはステップＳ１５に進
む。具体的には、前回クリーニングからの累積印刷時間Ｔ１が１．５時間であり、前回ク
リーニングからの累積時間Ｔ２が８時間であるとする。その場合、Ｔ１は、１≦Ｔ１＜２
の範囲であり、Ｔ２は、５≦Ｔ２＜３０の範囲であるので、３行目、２列のクリーニング
領域に該当することになる。なお、図１３におけるＴ１，Ｔ２の単位は時間（Hour）であ
る。
【００９０】
ステップＳ１３：ＣＰＵ４１は、まず、キャリッジモータ２４を駆動して印刷ヘッド１
２がキャッピング機構１１２に封止された状態とする。そして、ＣＰＵ４１は、モータ駆
動回路５４を制御することで、吸引モータ２５を駆動し、負圧を与えて印刷ヘッド１２の
全てのノズル（図示せず）からインクを強制的に吸引するクリーニング動作を実行する。
【００９１】
ステップＳ１４：ＣＰＵ４１は、送受信部４７を介して、廃液カートリッジ１１５に具
備されている記憶ユニット１１５ｃから図９に示すクリーニング回数１５４を取得する。
なお、この時点でのクリーニング回数１５４は、廃液カートリッジ１１５が交換された後
、現在までの間に実行されたクリーニングの回数を示している。そして、ＣＰＵ４１は、
クリーニング回数１５４の値を“１”だけインクリメントし、送受信部４７を介して、廃
液カートリッジ１１５に具備されている記憶ユニット１１５ｃに対して書き込む。その結
果、記憶ユニット１１５ｃに格納されているクリーニング回数１５４は、“１”だけイン
クリメントされることになる。
【００９２】
ステップＳ１５：ステップＳ１２で、クリーニング領域ではないと判定された場合、す
なわち、図１３に示すハッチングが施されている領域であるフラッシング領域に該当する
と判定された場合、ＣＰＵ４１は、まず、キャリッジモータ２４を駆動して印刷ヘッド１
２がキャッピング機構１１２に封止された状態とする。そして、ＣＰＵ４１は、ヘッド駆
動回路５２に対してフラッシング用の駆動電圧を与え、印刷ヘッド１２の全てのノズル（
図示せず）からインクを強制的に排出させるフラッシング動作を実行する。フラッシング
の結果、ノズルから吐出されたインク滴は、キャッピング機構１１２の内部に貯留され、
つぎに、クリーニング動作が実行される際に、吸引されて廃液カートリッジ１１５に流入
する。
【００９３】
ステップＳ１６：ＣＰＵ４１は、送受信部４７を介して、廃液カートリッジ１１５に具
備されている記憶ユニット１１５ｃから図９に示すフラッシング回数１５３を取得する。
なお、この時点でのフラッシング回数１５３は、廃液カートリッジ１１５が交換された後
、現在までの間に実行されたフラッシングの回数を示している。そして、ＣＰＵ４１は、
フラッシング回数１５３の値を“１”だけインクリメントし、送受信部４７を介して、廃
液カートリッジ１１５に具備されている記憶ユニット１１５ｃに対して書き込む。その結
果、記憶ユニット１１５ｃに格納されているフラッシング回数１５３は、“１”だけイン
クリメントされることになる。
【００９４】
ステップＳ１７：ＣＰＵ４１は、ステップＳ１３またはステップＳ１５で実行されるク
リーニングまたはフラッシングで消費されたインク消費量Ｄを計算する。なお、フラッシ
ングおよびクリーニングで消費されるインク量は予め分かっているので、その値をインク
消費量Ｄとする。
【００９５】
ステップＳ１８：ＣＰＵ４１は、ステップＳ１７で計算されたインク消費量Ｄを、記憶
ユニット１１５ｃの全インク使用量１５６に累積加算する。
【００９６】
以上の処理により、前回クリーニングからの累積印刷時間および前回クリーニングから
の累積時間に応じてクリーニング処理またはフラッシング処理が実行される。また、その
際、廃液カートリッジ１１５が具備している記憶ユニット１１５ｃのクリーニング回数１
５４またはフラッシング回数１５３がインクリメントされるとともに、全インク使用量１
５６がインクの消費量に応じて加算される。
【００９７】
つぎに、画像等を印刷する際の処理について説明する。
【００９８】
図１４は、画像等を印刷する場合に実行される処理の一例を説明するフローチャートで
ある。このフローチャートが実行されると、以下のステップが実行される。
【００９９】
ステップＳ３０：ＣＰＵ４１は、コンピュータ９０から送信されてきた印刷データＰＳ
を受信する。ここで、印刷データＰＳは、インク色毎のフィールドを有するデータであり
、各フィールドは、それを構成する各画素について吐出するドットの大きさ（大、中、小
）を示すデータによって構成されている。
【０１００】
ステップＳ３１：ＣＰＵ４１は、ステップＳ３０で受信した印刷データＰＳから小ドッ
ト数Ｎ１を累計する。すなわち、ＣＰＵ４１は、全てのインク色のフィールドに含まれて
いる小ドットの個数を累計する。
【０１０１】
ステップＳ３２：ＣＰＵ４１は、小ドットを構成するためのインク量を、例えば、Ｐ−
ＲＯＭ４３から取得する。例えば、小ドットのインク量として２ｐｌ（ピコリットル）が
取得される。
【０１０２】
ステップＳ３３：ＣＰＵ４１は、小ドットに関するインク消費量Ｃ１を計算する。すな
わち、ＣＰＵ４１は、ステップＳ３１で累計された小ドット数Ｎ１と、ステップＳ３２で
取得された小ドットのインク消費量Ｖ１とを乗算することにより、小ドットのインク消費
量Ｃ１（＝Ｖ１×Ｎ１）を得る。
【０１０３】
ステップＳ３４：ＣＰＵ４１は、ステップＳ３０で受信した印刷データＰＳから中ドッ
ト数Ｎ２を累計する。すなわち、ＣＰＵ４１は、全てのインク色のフィールドに含まれて
いる中ドットの個数を累計する。
【０１０４】
ステップＳ３５：ＣＰＵ４１は、中ドットを構成するインク量を、例えば、Ｐ−ＲＯＭ
４３から取得する。例えば、中ドットのインク量として４ｐｌ（ピコリットル）が取得さ
れる。
【０１０５】
ステップＳ３６：ＣＰＵ４１は、中ドットに関するインク消費量Ｃ２を計算する。すな
わち、ＣＰＵ４１は、ステップＳ３４で累計された中ドット数Ｎ２と、ステップＳ３５で
取得された中ドットのインク消費量Ｖ２とを乗算することにより、中ドットのインク消費
量Ｃ２（＝Ｖ２×Ｎ２）を得る。
【０１０６】
ステップＳ３７：ＣＰＵ４１は、ステップＳ３０で受信した印刷データＰＳから大ドッ
ト数Ｎ３を累計する。すなわち、ＣＰＵ４１は、全てのインク色のフィールドに含まれて
いる大ドットの個数を累計する。
【０１０７】
ステップＳ３８：ＣＰＵ４１は、大ドットを構成するインク量を、例えば、Ｐ−ＲＯＭ
４３から取得する。例えば、大ドットのインク量として６ｐｌ（ピコリットル）が取得さ
れる。
【０１０８】
ステップＳ３９：ＣＰＵ４１は、大ドットに関するインク消費量Ｃ３を計算する。すな
わち、ＣＰＵ４１は、ステップＳ３７で累計された大ドット数Ｎ３と、ステップＳ３８で
取得された大ドットのインク消費量Ｖ３とを乗算することにより、大ドットのインク消費
量Ｃ３（＝Ｖ３×Ｎ３）を得る。
【０１０９】
ステップＳ４０：ＣＰＵ４１は、印刷インク使用量Ｃを算出する。すなわち、ＣＰＵ４
１は、ステップＳ３３で求めた小ドットのインク消費量Ｃ１と、ステップＳ３６で求めた
中ドットのインク消費量Ｃ２と、ステップＳ３９で求めた大ドットのインク消費量Ｃ３と
を合計することにより、必要印刷インク使用量Ｃ（＝Ｃ１＋Ｃ２＋Ｃ３）を求める。
【０１１０】
ステップＳ４１：ＣＰＵ４１は、記憶ユニット１１５ｃに記憶されている印刷インク使
用量１５５に対して、ステップＳ４０で得られた必要印刷インク使用量Ｃを累積加算する
。その結果、印刷インク使用量１５５は、廃液カートリッジ１１５が新たに装着されてか
ら、現在までの印刷によるインクの使用量を示すことになる。
【０１１１】
ステップＳ４２：ＣＰＵ４１は、記憶ユニット１１５ｃに記憶されている全インク使用
量１５６に対して、ステップＳ４０で得られた必要印刷インク使用量Ｃを累積加算する。
その結果、全インク使用量１５６は、廃液カートリッジ１１５が新たに装着されてから、
現在までの印刷およびクリーニング等を含む全インクの使用量を示すことになる。
【０１１２】
以上の処理が完了すると、印刷データＰＳに基づく印刷処理が実行される。
【０１１３】
以上の処理により、画像等を印刷する際に消費されるインクの量を、印刷インク使用量
１５５および全インク使用量１５６として、記憶ユニット１１５ｃに記憶させることがで
きる。
【０１１４】
つぎに、図１５を参照して、廃液カートリッジ１１５が一杯になった場合に、警告等を
行う際の処理について説明する。このフローチャートは、プリンタ２２に電源が投入され
た場合、または、印刷処理もしくはクリーニング処理等を実行する直前に実行される。こ
のフローチャートが開始されると、以下のステップが実行される。
【０１１５】
ステップＳ５０：ＣＰＵ４１は、送受信部４７を介して記憶ユニット１１５ｃに格納さ
れている全インク使用量１５６を読み出す。
【０１１６】
ステップＳ５１：ＣＰＵ４１は、廃液カートリッジ１１５が一杯になったか否かを判定
し、一杯になった場合にはステップＳ５２に進み、それ以外の場合には処理を終了する。
具体的には、ステップＳ５０で取得した全インク使用量が所定の値よりも大きくなってい
る場合には廃液カートリッジ１１５が一杯であると判断してステップＳ５２に進み、それ
以外の場合には処理を終了する。
【０１１７】
なお、全インク使用量を判断の基準とせず、フラッシングやクリーニングによるインク
消費量Ｄを累積し、その累積されたインク使用量Ｄに基づいて廃液カートリッジ１１５が
一杯になったか否かを判定するようにしてもよい。また、全インク使用量と、この累積イ
ンク使用量Ｄの２つの数値を考慮して廃液カートリッジ１１５が一杯になったか否かを判
断するようにしてもよい。
【０１１８】
ステップＳ５２：ＣＰＵ４１は、廃液カートリッジ１１５が一杯になった旨を示す警告
を、表示装置９８に表示するようにコンピュータ９０に要求する。その結果、コンピュー
タ９０は、警告用の画面を表示するための情報をＨＤＤ９４から取得し、ビデオ回路９５
に供給する。その結果、表示装置９８には、図１６の（Ａ）に示すような画面が表示され
る。
【０１１９】
この表示例では、画面２００の上部には、タイトル２０１として「警告！」が表示され
ている。また、その下には、メッセージ２０２として「廃液カートリッジが一杯です。新
しい廃液カートリッジに交換してください。」が表示されている。また、その下には、表
示内容に了解した場合に操作されるボタン２０３が表示されている。
【０１２０】
ステップＳ５３：ＣＰＵ４１は、送受信部４７を介して、記憶ユニット１１５ｃに記憶
されているフラッシング回数１５３を読み取る。
【０１２１】
ステップＳ５４：ＣＰＵ４１は、送受信部４７を介して、記憶ユニット１１５ｃに記憶
されているクリーニング回数１５４を読み取る。
【０１２２】
ステップＳ５５：ＣＰＵ４１は、割引ポイントを計算する。具体的には、ＣＰＵ４１は
、ステップＳ５３で取得したフラッシング回数１５３の値と、ステップＳ５４で取得した
クリーニング回数１５４に“３”を乗算して得られた値とを加算する。そして、得られた
値に所定の値を乗算して得られた値を割引ポイントとする。なお、クリーニング回数１５
４の値に“３”を乗算するのは、クリーニングは、フラッシングに比べてインクの消費量
が多いためである。なお、“３”以外の値でもよいことはいうまでもない。
【０１２３】
なお、割引ポイントの算定方法としては、フラッシング回数１５３およびクリーニング
回数１５４のみから算定する方法以外にも、例えば、フラッシング回数１５３とクリーニ
ング回数１５４に所定の値を乗算した値とを加算して得られた値を、全インク使用量１５
６で除算して得られた値に応じて割引ポイントを算定することも可能である。
【０１２４】
ステップＳ５６：ＣＰＵ４１は、ステップＳ５５で計算された割引ポイントを、送受信
部４７を介して、記憶ユニット１１５ｃに割引ポイント１５７として格納する。
【０１２５】
ステップＳ５７：ＣＰＵ４１は、ステップＳ５５で算出された割引ポイントを、コンピ
ュータ９０に供給し、表示装置９８に表示するように要求する。その結果、表示装置９８
には、図１６の（Ｂ）に示すような画面２１０が表示される。
【０１２６】
この表示例では、画面２１０の最上部にはタイトル２１１として「割引ポイントの通知
」が表示されている。その下には、メッセージ２１２として「廃液カートリッジを購入店
に持参すると、弊社の製品に限り下記のポイントの割引を受けることができます。」が表
示されている。その下には、割引ポイントを示すメッセージ２１３として「割引ポイント
：２５ポイント」が表示されている。その下には、表示されている内容に了承した場合に
操作されるボタン２１４が表示されている。
【０１２７】
なお、図１６の（Ｂ）に示す画面２１０では、割引ポイントを表示するようにしたが、
具体的な割引金額（例えば、２５０円）等を表示するようにしてもよい。
【０１２８】
このような表示を参照した後、ユーザは、廃液カートリッジ１１５をプリンタ２２から
取り外し、販売店に当該廃液カートリッジ１１５を持参することになる。
【０１２９】
販売店で、購入しようとする商品を選択したユーザは、会計をするために、会計場所に
向かう。そこでは、販売店の店員が、購入しようとする商品の販売価格を、情報処理装置
１２０に入力していく。図１７は、このときに実行される処理の流れを説明するためのフ
ローチャートである。このフローチャートが開始されると、以下のステップが実行される
。
【０１３０】
ステップＳ７０：情報処理装置１２０のＣＰＵ１２１は、商品の購入金額を計算する。
具体的には、店員が商品に付されている記憶ユニット（図７に示すのと同様の記憶ユニッ
トで、商品の定価および製造者を示す情報が格納されたもの）にリーダライタ１２０ａを
接近させることにより、各商品の定価を入力していく。情報処理装置１２０のＣＰＵ１２
１は、このようにして入力された金額を合計していく。
【０１３１】
ステップＳ７１：購入しようとする全ての商品の定価の入力が終わった場合には、ユー
ザは、店員に対して、持参してきた廃液カートリッジ１１５を渡して、割引するように要
求する。その結果、店員は、廃液カートリッジ１１５の記憶ユニット１１５ｃに対して、
リーダライタ１２０ａを接近させ、そこに記憶されている情報を読み取らせる。具体的に
は、ＣＰＵ１２１は、リーダライタ１２０ａを介して、記憶ユニット１１５ｃに記憶され
ている割引ポイント１５７のデータを読み取る。なお、このステップＳ７１での読み取り
は、ステップＳ７０の前で行うようにしてもよい。
【０１３２】
ステップＳ７２：ＣＰＵ１２１は、購入しようとする商品のうち、廃液カートリッジ１
１５の記憶ユニット１１５ｃに格納されている製造メーカ名１５２と同一の製造メーカの
商品（割引対象）が含まれているか否かを判断する。そして、含まれていると判断した場
合には、割引対象が存在すると判断してステップＳ７３に進み、それ以外の場合にはステ
ップＳ７６に進む。
【０１３３】
ステップＳ７３：ＣＰＵ１２１は、割引金額を表示装置１２８に表示する。例えば、割
引ポイント１５７が“２５”である場合には、“２５０円”を割引金額として表示する。
具体的には、ＣＰＵ１２１は、ＨＤＤ１２４から合計金額および割引金額を表示するため
の情報を読み出し、ビデオ回路１２５に供給する。その結果、表示装置１２８には図１８
の（Ａ）に示すような画面が表示される。
【０１３４】
この表示例では、画面２２０の最上部には、タイトル２２１としての「購入金額」が表
示されている。その下には、該当商品の金額を示すメッセージ２２２として「該当商品金
額：１，８００円」が表示され、その下には、合計金額を示すメッセージ２２３として「
商品合計金額：５，８００円」が表示され、その下には、割引ポイント数を示すメッセー
ジ２２４として「割引ポイント数：２５ポイント」が表示され、その下には割引金額を示
すメッセージ２２５として「割引金額：２５０円」が表示されている。最下部には、ユー
ザが有するポイントカードに割引ポイントを蓄積する場合に操作されるボタン２２６と、
割引ポイントを使用する場合に操作するボタン２２７とが表示されている。
【０１３５】
ステップＳ７４：ＣＰＵ１２１は、画面２２０においてボタン２２７が操作されたか否
かを判定し、操作された場合には割引ポイントを商品の割引に使用するとしてステップＳ
７５に進み、それ以外の場合にはステップＳ７６に進む。
【０１３６】
ステップＳ７５：ＣＰＵ１２１は、割引ポイントに応じて商品を割り引きする処理を実
行する。具体的には、ＣＰＵ１２１は、ＨＤＤ１２４から合計金額および割引金額を表示
するための情報を読み出し、ビデオ回路１２５に供給する。その結果、表示装置１２８に
は図１８の（Ｂ）に示すような画面が表示される。
【０１３７】
この表示例では、画面２３０の最上部には、タイトル２３１としての「購入金額」が表
示されている。その下には、該当商品の金額を示すメッセージ２３２として「商品合計金
額：５，８００円」が表示され、その下には、該当商品の金額を示すメッセージ２３３と
して「割引ポイント数：２５ポイント」が表示され、その下には、割引金額を示すメッセ
ージ２３４として「割引金額：２５０円」が表示され、その下には、小計を示すメッセー
ジ２３５として「小計：５，５５０円」が表示され、その下には、税金（消費税）を示す
メッセージ２３６として「税金：２７７円」が表示され、その下には、支払い合計金額を
示すメッセージ２３７として「合計：５，８２７円」が表示されている。
【０１３８】
このような画面を参照し、店員がユーザに支払い金額を通知すると、ユーザは当該金額
を支払い、精算が終了する。
【０１３９】
ステップＳ７６：ＣＰＵ１２１は、ポイント加算処理を実行する。すなわち、ＣＰＵ１
２１は、ユーザが有する記憶カードとしてのポイントカード（商品の購入金額の一定額が
ポイントとして蓄積され、次回の買い物の際に蓄積されたポイントに応じて割り引きがな
されるカード）に蓄積する処理を実行する。具体的には、店員は、ユーザに対して、ポイ
ントカードの提示を求める。ポイントカードの提示を受けた店員は、当該ポイントカード
にリーダライタ１２０ａを接近させる。その結果、リーダライタによってポイントカード
に具備されている図７に示すのと同様の記憶ユニットに対して割引ポイントが蓄積される
とともに、表示装置１２８には、図１９の（Ａ）に示すような画面２４０が表示される。
【０１４０】
この表示例では、画面２４０の最上部には、タイトル２４１として「購入金額」が表示
され、その下には、該当する商品の金額を示すメッセージ２４２として「該当商品金額：
１，８００円」が表示され、その下には、商品合計金額を示すメッセージ２４３として「
商品合計金額：５，８００円」が表示され、その下には、小計を示すメッセージ２４４と
して「小計：５，８００円」が表示され、その下には、税金を示すメッセージ２４５とし
て「税金：２９０円」が表示され、その下には、合計を示すメッセージ２４６として「合
計：６，０９０円」が表示され、最下部には、割引ポイントが蓄積されたことを示すメッ
セージ２４７として、「２５ポイントは蓄積」が表示されている。
【０１４１】
このような画面２４０を参照することにより、店員は割引ポイントがポイントカードに
蓄積されたことを確認することができるとともに、購入商品に対する精算を行うことがで
きる。なお、割引ポイントの蓄積に際しては、その割引ポイントが廃液カートリッジ１１
５の製造メーカによる製品にのみ使用できることを併せて記憶しておく。
【０１４２】
なお、ユーザが持参した廃液カートリッジ１１５については、店員が回収し、ある程度
の個数が揃ったところで、製造メーカに対して引き渡す。製造メーカは、回収した廃液カ
ートリッジ１１５をリサイクルすることにより、新たな製品を生みだして、市場に再度供
給することができる。
【０１４３】
なお、廃液カートリッジ１１５が不正の目的で使用されることを防止するためには、割
引ポイントが使用された場合には、記憶ユニット１１５ｃの割引ポイント１５７のデータ
を初期化するか、または、削除するようにすればよい。
【０１４４】
以上の実施の形態によれば、フラッシングおよびクリーニングで使用されたインクに応
じた金額を、同じ製造メーカが提供する商品を購入する際に割引を行うようにしたので、
画像の印刷の対象とならない、いわば、浪費されてしまうインクに対する対価をユーザに
対して還元することができる。
【０１４５】
また、同一の製造メーカの商品を購入する際に、割引を適用するようにしたので、代替
可能な商品が多数存在する場合であっても、同一製造メーカの商品の購入を促すことが可
能になる。
【０１４６】
また、廃液カートリッジ１１５を販売店に持参したユーザに対して割引を適用するよう
にしたので、廃液カートリッジ１１５を容易に回収することが可能になり、環境に与える
影響を少なくすることができる。
【０１４７】
なお、以上の実施の形態では、情報処理装置１２０にリーダライタ１２０ａ設け、これ
によって記憶ユニット１１５ｃに記憶されている情報を読み取るようにしたが、例えば、
記憶ユニット１１５ｃに記憶されている情報をプリンタ２２によってバーコードとして印
刷用紙Ｐに印刷し、これと廃液カートリッジ１１５を持参して割引の適用を受けることが
できるようにしてもよい。
【０１４８】
図１９の（Ｂ）は、バーコードが印刷された印刷用紙Ｐの一例を示す図である。この例
では、印刷用紙Ｐには、タイトル２５１としての「割引券」が印刷され、その下には、有
効期限を示すメッセージ２５２として「有効期限：２００４年１０月１０日」が印刷され
ている。その下には、プリンタ機種を示すメッセージ２５３として「プリンタ機種：ＰＲ
−００１」が印刷されている。その下には、ポイント数を示すメッセージ２５４として「
ポイント数：２５ポイント」が印刷されている。最下部には割引ポイントおよび製造メー
カを示す情報が記録されたバーコード２５５が印刷されている。
【０１４９】
このような印刷用紙Ｐが持参された店舗側では、バーコード２５５を図示せぬバーコー
ドリーダによって読み取ることにより、前述したのと同様の処理を実行することができる
。このように、一旦、印刷用紙Ｐに印刷することにより、リーダライタ１２０ａを有しな
い店舗においても割引の適用を受けることが可能になる。
【０１５０】
つぎに、本発明の他の実施の形態について説明する。
【０１５１】
以上の実施の形態では、割引ポイント等の情報については、廃液カートリッジ１１５が
有する記憶ユニット１１５ｃに記憶させるようにしたが、インクカートリッジ７１〜７４
のそれぞれに対して記憶ユニット１１５ｃに相当する記憶ユニットを設け、そこに割引ポ
イント等の情報を記憶させることも可能である。なお、この他の実施の形態では、インク
カートリッジ７１〜７４に記憶ユニットが具備されている点と、プリンタ２２および情報
処理装置１２０において実行される処理の一部が異なっている以外は、前述の実施の形態
の場合と同様であるので、差異点を明確にしつつその構成および動作について以下に説明
する。
【０１５２】
図２０は、本発明の他の実施の形態におけるブラック（Ｋ）のインクカートリッジ７１
の構成例を示す図である。他の色のインクカートリッジ７２〜７４についても同様の構成
であるのでその説明は省略する。この図の例では、インクカートリッジ７１は、筐体７１
ａによって構成され、内部には黒色のインクが充填されている。また、筐体７１ａの天面
には、図７に示す記憶ユニット１１５ｃと同様の記憶ユニット７１ｂが具備されている。
なお、以下では、インクカートリッジ７２，７３，７４に設けられている記憶ユニットを
それぞれ記憶ユニット７２ｂ，７３ｂ，７４ｂとして説明する。
【０１５３】
図２１は、図２０に示す記憶ユニット７１ｂに記憶されている情報の一例を示す図であ
る。この図に示すように、記憶ユニット７１ｂに記憶されている情報としては、シリアル
番号３０１、製造メーカ名３０２、インク色３０３、インク残量３０４、フラッシング回
数３０５、クリーニング回数３０６、印刷インク使用量３０７、全インク使用量３０８、
および割引ポイント３０９がある。
【０１５４】
ここで、シリアル番号３０１は、インクカートリッジ７１に固有の番号であり、この番
号を参照することにより、インクカートリッジ７１の種類を識別することが可能になる。
製造メーカ名３０２は、インクカートリッジ７１の製造メーカを特定するための情報であ
る。インク色３０３は、インクの色を特定するための情報であり、この例では、「黒色」
を示す情報が格納されている。インク残量３０４は、インクの残量を示す情報であり、コ
ンピュータ９０にインク残量を表示する際に使用される情報である。
【０１５５】
フラッシング回数３０５は、インクカートリッジ７１が新たに装着されてから実行され
たフラッシングの回数を示す情報である。クリーニング回数３０６は、インクカートリッ
ジ７１が新たに装着されてから実行されたクリーニングの回数（但し、黒色インクに関す
るものに限る）を示す情報である。印刷インク使用量３０７は、インクカートリッジ７１
が新たに装着されてから印刷に使用されたインクの量（但し、黒色インクに関するものに
限る）を示す情報である。全インク使用量は、インクカートリッジ７１が新たに装着され
てから印刷に使用されたインクの量、フラッシングに使用されたインクの量、およびクリ
ーニングに使用されたインク量の総和（但し、黒色インクに関するものに限る）を示す情
報である。割引ポイント３０９は、適用を受けることができる割引ポイント（但し、黒色
インクに関するものに限る）を示す情報である。
【０１５６】
つぎに、本発明の他の実施の形態の動作について説明する。なお、以下では、前述した
実施の形態との比較において、異なる部分のみについて説明する。
【０１５７】
図１２に示すフローチャートでは、ステップＳ１４およびステップＳ１６の処理におい
て、インクカートリッジ７１〜７４のうち、フラッシングおよびクリーニングの対象とな
ったインクカートリッジのみがインクリメントの対象となる。それ以外は、前述の実施の
形態の場合と同様である。その結果、図１２の処理によれば、前回クリーニングからの累
積時間および前回クリーニングからの累積印刷時間に応じてクリーニングまたはフラッシ
ングが実行され、インクカートリッジ７１〜７４が具備する記憶ユニット７１ｂ〜７４ｂ
のフラッシング回数３０５またはクリーニング回数３０６がインクリメントされる。すな
わち、フラッシングおよびクリーニングを一部のインクカートリッジに対してのみ実行す
ることが可能である場合には、対象となるインクカートリッジの記憶ユニットのみをイン
クリメントの対象とする。
【０１５８】
図１４に示すフローチャートにおいては、小ドット、中ドット、および大ドットの消費
量Ｃ１〜Ｃ３を計算する際には、各色のインク毎にそれぞれの消費量を計算し、得られた
色毎の全インク消費量を、対応するインクカートリッジ７１〜７４の記憶ユニット７１ｂ
〜７４ｂに格納する点が異なっている。このような処理により、各色のインクカートリッ
ジ毎に印刷インク使用量を求めることができる。
【０１５９】
図１５に示すフローチャートでは、廃液カートリッジ１１５が一杯になった時点で、割
引ポイントを計算するようになっているが、この他の実施の形態の場合では、インク残量
３０４が“０”になった場合に、その時点における、当該色のインクについて割引ポイン
トを計算して、当該色のインクカートリッジの記憶ユニットに格納する。このような処理
によれば、各色のインクカートリッジ毎に割引ポイントが計算されてそれぞれの記憶ユニ
ット７１ｂ〜７４ｂに格納される。
【０１６０】
図１７に示すフローチャートでは、ステップＳ７１の処理において、情報の読み取りの
対象となるのが廃液カートリッジ１１５ではなく、使用済みのインクカートリッジである
点が異なる。その結果、ユーザは、使用済みのインクカートリッジを店舗に持参すること
で、購入しようとする商品について、割引の適用を受けることができる。
【０１６１】
以上に説明したように、本発明の他の実施の形態によれば、インクカートリッジ７１〜
７４のそれぞれについて、インク使用量等を計算し、それに基づいて割引ポイントを計算
して格納するようにしたので、使用済みのインクカートリッジを店舗に持参することで、
新たに購入する商品について価格の割引の適用を受けることができる。
【０１６２】
このため、印刷ヘッド１２の性能を維持するために使用される、いわば、ユーザにとっ
ては浪費されたインクに対応する対価を、ユーザに還元することが可能になる。
【０１６３】
また、割引の適用を受けるためには、ユーザは、インクカートリッジを販売店に持参す
る必要が生じるので、インクカートリッジの回収を容易に行うことが可能になる。その結
果、インクカートリッジのリサイクルを促進することができ、製品の環境に対する影響を
低減することが可能になる。
【０１６４】
さらに、割引の対象を同一色のインクカートリッジに限定するようにしてもよい。こう
することにより、メーカ側の利益率等の算定を容易にすることができる。
【０１６５】
以上、本発明の一実施の形態についてそれぞれ説明したが、本発明はこれ以外にも種々
変形可能である。例えば、以上の各実施の形態では、情報処理装置１２０は販売店舗に設
置され、ユーザは販売店舗に出向いて商品を購入し、割引の適用を受けるようにしたが、
コンピュータ９０と情報処理装置１２０とを、通信手段であるＩ／Ｆ９６，１２６および
インターネットを介して相互に接続し、商品をオンラインで購入する際に割引の適用を受
けることができるようにしてもよい。その場合、割引ポイントが複数回使用されること（
悪用されること）を防止するために、割引ポイントが使用された場合には、当該割引ポイ
ントを初期化するか、または、削除するようにすればよい。
【０１６６】
また、割引ポイントは、廃液カートリッジ１１５やインクカートリッジ７１〜７４を製
造したメーカが製造販売している製品の購入時のみに使用できるようにしたが、割引ポイ
ントは他の製造メーカの製品にも適用できるようにしてもよい。また、割引ポイントの価
値を印刷ヘッド１２の性能を維持するために使用されたインクに完全に対応するものとせ
ず、浪費されたインクの価値（額）の数倍としたり、数分の１としたりしてもよい。この
ような場合も「インクに対応する金額」に相当するものとする。
【０１６７】
また、印刷ヘッド１２の性能を維持するために使用されたインクとしては、クリーニン
グのみを対象としたり、フラッシングのみを対象としたりしてもよい。また、縁なし印刷
がなされた場合には、印刷用紙Ｐに付着しないインクが多くなるため、縁なし印刷を浪費
するインクの対象として含めるようにしてもよい。
【０１６８】
また、以上の実施の形態では、クリーニングおよびフラッシングについては、単一の強
度のものを想定したが、例えば、複数の強度のクリーニングおよびフラッシングが存在す
る場合には、それぞれの強度に応じて消費されるインク量を予め算出しておき、そのイン
ク消費量に応じた値をインクリメントするようにしてもよい。
【０１６９】
また、以上の実施の形態では、送受信部４７と記憶ユニット１１５ｃおよび記憶ユニッ
ト７１ｂ〜７４ｂは、電磁波によって通信を行うようにしたが、本発明はこれ以外にも、
例えば、電界の変化、または、磁界の変化によって通信を行うようにすることも可能であ
る。
【０１７０】
また、以上の実施の形態では、インク色毎にインクカートリッジを設けて、インク色毎
に交換可能としたが、例えば、複数色のインクをまとめてひとつのインクカートリッジと
して、複数色のインク（例えば、カラーインクとブラックインクのそれぞれ）を一括して
交換可能としてもよい。その場合には、インクカートリッジ単位で記憶ユニットを設け、
割引ポイントを格納するようにすればよい。
【０１７１】
また、以上の実施の形態では、インクとしては、ＣＭＹＫの４色を用いるようにしたが
、これら４色に代えて、または、４色に加えて淡色系のインク（ライトシアン（ＬＣ）、
ライトマゼンタ（ＬＭ）、ダークイエロー（ＤＹ））のインクを用いるようにしてもよい
。
【０１７２】
また、以上の実施の形態では、ピエゾ素子を用いてインクを吐出するヘッドを備えたプ
リンタ２２を用いているが、吐出駆動素子としては、ピエゾ素子以外の種々のものを利用
することが可能である。例えば、インク通路に配置したヒータに通電し、インク通路内に
発生する気泡（バブル）によりインクを吐出するタイプの吐出駆動素子を備えたプリンタ
に適用することも可能である。または、いわゆるレーザープリンタ等に対しても本発明を
適用することが可能であることはいうまでもない。
【０１７３】
また、以上の実施の形態では、プリンタ２２のＰ−ＲＯＭ４３等に格納されているプロ
グラムにより、前述した処理を実行するようにしている。しかし、コンピュータ９０のＨ
ＤＤ９４に同等の機能を有するプログラムを格納しておき、このプログラムにより前述の
処理を実行するようにしてもよい。また、前述した処理をコンピュータ９０とプリンタ２
２により分担して処理するようにしたりすることも可能である。具体的には、前述した処
理機能をコンピュータ９０のＨＤＤ９４に格納したり、その一部のみをコンピュータ９０
のＨＤＤ９４に格納したりするようにしてもよい。
【０１７４】
なお、以上の処理機能を記述したプログラムは、コンピュータで読み取り可能な記録媒
体に記録しておくことができる。コンピュータで読み取り可能な記録媒体としては、磁気
記録装置、光ディスク、光磁気記録媒体、半導体メモリなどがある。磁気記録装置には、
ハードディスク装置（ＨＤＤ）、フレキシブルディスク（ＦＤ）、磁気テープなどがある
。光ディスクには、ＤＶＤ、ＤＶＤ−ＲＡＭ（Random Access Memory）、ＣＤ−ＲＯＭ、
ＣＤ−Ｒ（Recordable）／ＲＷ（ReWritable）などがある。光磁気記録媒体には、ＭＯな
どがある。
【０１７５】
プログラムを流通させる場合には、例えば、そのプログラムが記録されたＤＶＤ、ＣＤ
−ＲＯＭなどの可搬型記録媒体が販売される。また、プログラムをサーバコンピュータの
記憶装置に格納しておき、ネットワークを介して、サーバコンピュータから他のコンピュ
ータにそのプログラムを転送することもできる。
【０１７６】
プログラムを実行するコンピュータは、例えば、可搬型記録媒体に記録されたプログラ
ムもしくはサーバコンピュータから転送されたプログラムを、自己の記憶装置に格納する
。そして、コンピュータは、自己の記憶装置からプログラムを読み取り、プログラムに従
った処理を実行する。なお、コンピュータは、可搬型記録媒体から直接プログラムを読み
取り、そのプログラムに従った処理を実行することもできる。また、コンピュータは、サ
ーバコンピュータからプログラムが転送される毎に、逐次、受け取ったプログラムに従っ
た処理を実行することもできる。
【図面の簡単な説明】
【０１７７】
【図１】本発明の実施の形態の概略構成を示す図である。
【図２】図１に示す印刷装置の詳細な構成例を示す図である。
【図３】図１に示す印刷装置中の制御回路を中心としたプリンタの主要部の構成を示すブロック図である。
【図４】図１に示す印刷装置を構成するプリンタのキャリッジの周辺部分の詳細な構成例を示す図である。
【図５】図１に示す印刷装置を構成するプリンタの廃液インクを吸引するための吸引モータおよびその周辺部分の詳細な構成例を示す図である。
【図６】廃液カートリッジの詳細な構成例を示す断面図である。
【図７】図６に示す廃液カートリッジの天面に設けられた記憶ユニットの構成例を示す平面透視図である。
【図８】図３に示す送受信部と、図７に示す記憶ユニットの詳細な構成例を示すブロック図である。
【図９】図８に示す記憶ユニット中のメモリに格納されている情報の一例を示す図である。
【図１０】図１に示す印刷装置中のコンピュータの詳細な概略構成を示すブロック図である。
【図１１】図１に示す情報処理装置の詳細な回路構成を示すブロック図である。
【図１２】図１に示すプリンタの電源が投入された場合または印刷データがコンピュータから供給された場合に実行される処理の一例を説明するためのフローチャートである。
【図１３】図１２に示すフローチャートにおいて、クリーニングまたはフラッシングのいずれを実行するかを判定するための表である。
【図１４】図１に示す印刷装置中のプリンタが画像等を印刷する場合に実行される処理の一例を説明するフローチャートである。
【図１５】図６に示す廃液カートリッジが一杯になった場合に、警告等を行う際の処理について説明するフローチャートである。
【図１６】図１に示す印刷装置中のコンピュータの表示装置に表示される画面の一例であり、（Ａ）は廃液カートリッジが一杯になった旨を示す警告画面であり、（Ｂ）は割引ポイントを通知するための画面である。
【図１７】販売店において、販売店の店員が、購入しようとする商品の販売価格を、情報処理装置に入力する際に実行される処理の一例を説明するためのフローチャートである。
【図１８】図１１に示す情報処理装置の表示装置に表示される画面の一例であり、（Ａ）は購入金額および割引ポイントを表示する画面の一例であり、（Ｂ）は（Ａ）において「使用」ボタンが操作された場合に表示される画面の一例である。
【図１９】（Ａ）は図１８の（Ａ）において「蓄積」ボタンが操作された場合に表示される画面の一例であり、（Ｂ）は割引ポイントおよび製造メーカ名に関する情報を含むバーコードが印刷された印刷用紙の一例である。
【図２０】本発明の他の実施の形態のインクカートリッジの外観構成例を示す図である。
【図２１】図２０に示すインクカートリッジの記憶ユニットに記憶されている情報の一例を示す図である。
【符号の説明】
【０１７８】
１２  印刷ヘッド（記録手段の一部）
２２  プリンタ（印刷装置の一部）
４１  ＣＰＵ（取得手段）
４７  送受信部（記録手段の一部）
９０  コンピュータ（印刷装置の一部）
１２１  ＣＰＵ（計算手段、割引手段）
１２０ａ  リーダライタ（取得手段）
【図１】
2005059313.tif 000003
【図２】
2005059313.tif 000004
【図３】
2005059313.tif 000005
【図４】
2005059313.tif 000006
【図５】
2005059313.tif 000007
【図６】
2005059313.tif 000008
【図７】
2005059313.tif 000009
【図８】
2005059313.tif 000010
【図９】
2005059313.tif 000011
【図１０】
2005059313.tif 000012
【図１１】
2005059313.tif 000013
【図１２】
2005059313.tif 000014
【図１３】
2005059313.tif 000015
【図１４】
2005059313.tif 000016
【図１５】
2005059313.tif 000017
【図１６】
2005059313.tif 000018
【図１７】
2005059313.tif 000019
【図１８】
2005059313.tif 000020
【図１９】
2005059313.tif 000021
【図２０】
2005059313.tif 000022
【図２１】
2005059313.tif 000023